【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
打ち込まれた遊技球が流下可能な遊技領域を有する遊技盤と、
所定の演出画像が表示される演出画像表示装置と、
遊技球の通過または受け入れが可能に開放されている開放口と、
前記遊技領域に設けられ、遊技球を受け入れ可能な受入口と、
前記受入口の近傍に設けられ、当該受入口への遊技球の受け入れが不可能な拒球態様と、当該受入口への遊技球の受け入れが可能な許球態様と、の間で変位しうる可動部材と、
前記遊技領域に設けられ、遊技球の受け入れが不可能な閉鎖態様と遊技球の受け入れが可能な開放態様との間で変位可能な開閉装置と、
遊技球を用いた機械的な抽選処理が行われる機械的抽選装置と、
前記開閉装置から受け入れた遊技球を前記機械的抽選装置に案内しうる案内装置と、
前記機械的な抽選処理に当選したことに応じて遊技者に有利な特別遊技を行う特別遊技実行手段を少なくとも有する遊技制御手段と、
を備える遊技機であって、
前記遊技制御手段は、
前記開放口への遊技球の通過または受け入れがあった旨を検出する開放口検出手段、
前記開放口検出手段による遊技球の検出に基づいて内部的な第１の抽選処理を行う第１内部抽選手段、
前記内部的な第１の抽選処理の結果を、一の図柄または複数の図柄の組み合わせにより前記演出画像表示装置に導出する第１内部抽選処理結果導出手段、
常には前記拒球態様に維持される前記可動部材を、前記内部的な第１の抽選処理の結果が当たりであることに基づいて前記許球態様に変位させる可動制御手段、
前記受入口への遊技球の受け入れを検出する受入口検出手段、
前記受入口検出手段による前記受入口への遊技球の受入検出に基づいて内部的な第２の抽選処理を行う第２内部抽選手段、
前記演出画像表示装置にて表示される前記内部的な第２の抽選処理にかかる演出画像として複数の演出画像を少なくとも記憶する演出画像記憶手段、
前記受入口検出手段による前記受入口への遊技球の受入検出に基づいて行われる前記内部的な第２の抽選処理に当選したことに応じて、前記演出画像記憶手段に記憶される前記複数の演出画像のなかから任意の演出画像に偏ることなくいずれかに選択決定する演出画像選択決定手段、
前記一の図柄または複数の図柄の組み合わせに代えて前記演出画像選択決定手段により選択決定された演出画像が前記演出画像表示装置にて表示されるように表示制御する演出画像表示制御手段、
前記受入口検出手段による前記受入口への遊技球の受入検出に基づいて行われる前記内部的な第２の抽選処理に当選したことに応じて、常には前記閉鎖態様に維持される前記開閉装置を、前記演出画像が表示されたのちに前記開放態様となるように変位させると共に、当該開放態様から再び前記閉鎖態様に変位させる開閉制御手段、および
前記開閉装置から受け入れた遊技球が前記機械的抽選装置に案内されうるように、前記案内装置の作動を制御する案内制御手段、
を有しており、
前記内部的な第１の抽選処理の結果には、前記内部的な第２の抽選処理が行われうる第１当たり、および、当該第１当たりに当選した場合よりも積極的に前記内部的な第２の抽選処理が行われうる第２当たり、が少なくとも含まれており、
第１内部抽選処理結果導出手段は、
前記内部的な第１の抽選処理の結果が前記第１当たりであるときは、前記可動制御手段によって前記可動部材を前記許球態様に変位させるにも拘らず、当該内部的な第１の抽選処理の結果が当たりである旨を示す態様で前記演出画像表示装置に導出せずに、
前記内部的な第１の抽選処理の結果が前記第２当たりであるときに、当該内部的な第１の抽選処理の結果が当たりである旨を示す態様で前記演出画像表示装置に導出する
ことを特徴とする遊技機。
【請求項２】
前記案内装置は、前記開閉装置から受け入れた遊技球のうち１球のみを、前記開閉装置が前記開放態様に変位してから一定時間経過後に前記機械的抽選装置に案内すると共に、
前記機械的抽選装置は、一定の時間毎におとずれる当選タイミングとしての特定時間内に前記１球の遊技球が案内されたときに当選となるように前記機械的な抽選処理を行うものであり、
前記複数の演出画像は、前記１球の遊技球が前記機械的抽選装置に案内されるタイミングを異ならせるべく、それぞれの演出時間が所定時間ずつ異なっており、
前記１球の遊技球が前記特定時間内に前記機械的抽選装置に案内されうる演出画像を当選演出画像としたとき、
前記一定の時間の整数倍が前記複数の演出画像の数と前記所定時間とを乗じた値に相当すると共に、前記特定時間の前記整数倍が前記当選演出画像の数と前記所定時間とを乗じた値に相当することによって、前記受入口への遊技球の受け入れタイミングに拘らず、前記複数の演出画像に対する前記当選演出画像の比率と、前記一定の時間に対する前記特定時間の比率と、がほぼ同じになるように構成されている
ことを特徴とする請求項１に記載の遊技機。
【請求項３】
前記第１内部抽選処理結果導出手段は、前記内部的な第１の抽選処理の結果を、二つの図柄の組み合わせにより前記演出画像表示装置に導出すると共に、
前記内部的な第１の抽選処理の結果が当たりである旨を示す態様は、前記二つの図柄が同じ図柄で表示されることである
ことを特徴とする請求項１または請求項２に記載の遊技機。
【手続補正２】
【補正対象書類名】明細書
【補正対象項目名】０００８
【補正方法】変更
【補正の内容】
【０００８】
前記課題を解決するための本発明に係る遊技機は、打ち込まれた遊技球が流下可能な遊技領域を有する遊技盤と、所定の演出画像が表示される演出画像表示装置と、遊技球の通過または受け入れが可能に開放されている開放口と、前記遊技領域に設けられ、遊技球を受け入れ可能な受入口と、前記受入口の近傍に設けられ、当該受入口への遊技球の受け入れが不可能な拒球態様と、当該受入口への遊技球の受け入れが可能な許球態様と、の間で変位しうる可動部材と、前記遊技領域に設けられ、遊技球の受け入れが不可能な閉鎖態様と遊技球の受け入れが可能な開放態様との間で変位可能な開閉装置と、遊技球を用いた機械的な抽選処理が行われる機械的抽選装置と、前記開閉装置から受け入れた遊技球を前記機械的抽選装置に案内しうる案内装置と、前記機械的な抽選処理に当選したことに応じて遊技者に有利な特別遊技を行う特別遊技実行手段を少なくとも有する遊技制御手段と、を備える遊技機であって、前記遊技制御手段は、前記開放口への遊技球の通過または受け入れがあった旨を検出する開放口検出手段、前記開放口検出手段による遊技球の検出に基づいて内部的な第１の抽選処理を行う第１内部抽選手段、前記内部的な第１の抽選処理の結果を、一の図柄または複数の図柄の組み合わせにより前記演出画像表示装置に導出する第１内部抽選処理結果導出手段、常には前記拒球態様に維持される前記可動部材を、前記内部的な第１の抽選処理の結果が当たりであることに基づいて前記許球態様に変位させる可動制御手段、前記受入口への遊技球の受け入れを検出する受入口検出手段、前記受入口検出手段による前記受入口への遊技球の受入検出に基づいて内部的な第２の抽選処理を行う第２内部抽選手段、前記演出画像表示装置にて表示される前記内部的な第２の抽選処理にかかる演出画像として複数の演出画像を少なくとも記憶する演出画像記憶手段、前記受入口検出手段による前記受入口への遊技球の受入検出に基づいて行われる前記内部的な第２の抽選処理に当選したことに応じて、前記演出画像記憶手段に記憶される前記複数の演出画像のなかから任意の演出画像に偏ることなくいずれかに選択決定する演出画像選択決定手段、前記一の図柄または複数の図柄の組み合わせに代えて前記演出画像選択決定手段により選択決定された演出画像が前記演出画像表示装置にて表示されるように表示制御する演出画像表示制御手段、前記受入口検出手段による前記受入口への遊技球の受入検出に基づいて行われる前記内部的な第２の抽選処理に当選したことに応じて、常には前記閉鎖態様に維持される前記開閉装置を、前記演出画像が表示されたのちに前記開放態様となるように変位させると共に、当該開放態様から再び前記閉鎖態様に変位させる開閉制御手段、および前記開閉装置から受け入れた遊技球が前記機械的抽選装置に案内されうるように、前記案内装置の作動を制御する案内制御手段、を有しており、前記内部的な第１の抽選処理の結果には、前記内部的な第２の抽選処理が行われうる第１当たり、および、当該第１当たりに当選した場合よりも積極的に前記内部的な第２の抽選処理が行われうる第２当たり、が少なくとも含まれており、第１内部抽選処理結果導出手段は、前記内部的な第１の抽選処理の結果が前記第１当たりであるときは、前記可動制御手段によって前記可動部材を前記許球態様に変位させるにも拘らず、当該内部的な第１の抽選処理の結果が当たりである旨を示す態様で前記演出画像表示装置に導出せずに、前記内部的な第１の抽選処理の結果が前記第２当たりであるときに、当該内部的な第１の抽選処理の結果が当たりである旨を示す態様で前記演出画像表示装置に導出することを特徴とする。